(57)【要約】【課題】設置される環境に応じて様々な機能を提供できる多機能構造体を提供する。【解決手段】多機能構造体１は、少なくとも一部が地上に配置される基部３と、基部３に支持される複数の機能部５と、を備え、複数の機能部５のそれぞれは、所定の機能を提供可能なモジュールであり、高さ方向に並んで配置されると共に、組み合わせ自在に設けられている。【選択図】図１
2018048461.tif 000002
【特許請求の範囲】
【請求項１】
少なくとも一部が地上に配置される基部と、
前記基部に支持される複数の機能部と、を備え、
複数の前記機能部のそれぞれは、所定の機能を提供可能なモジュールであり、高さ方向に並んで配置されると共に、組み合わせ自在に設けられている、多機能構造体。
【請求項２】
前記基部は、前記高さ方向に沿って延在する支柱であり、
複数の前記機能部のそれぞれは、前記基部に固定されて支持されている、請求項１に記載の多機能構造体。
【請求項３】
複数の前記機能部のそれぞれは、前記基部の上端部に連結可能であると共に、他の前記機能部と連結可能である、請求項１に記載の多機能構造体。
【請求項４】
複数の前記機能部のそれぞれの外形が同じである、請求項１〜３のいずれか一項に記載の多機能構造体。
【請求項５】
前記基部は、中空の構造を有している、請求項１〜４のいずれか一項記載の多機能構造体。
【請求項６】
前記基部は、地中に埋設される部分を有し、
埋設される前記部分には、外部と連通する開口部が設けられている、請求項１〜５のいずれか一項記載の多機能構造体。
【請求項７】
複数の前記機能部のそれぞれは、複数の通信会社に対応可能な無線基地局に係る機能、高度道路交通システムに係る機能、防災情報システムに係る機能、災害情報共有システムに係る機能、防災スピーカーに係る機能、電灯に係る機能、ＩｏＴ（Internet of Thing）に係る機能、デジタルサイネージに係る機能、Ｗｉ−Ｆｉに係る機能、気象センサーに係る機能、国土交通省及び警察庁のテレメータに係る機能、監視カメラに係る機能、Ｇ空間情報の送受信装置及びアンテナに係る機能、電力を供給するコンセントに係る機能、及び、パーソナルコンピューターに係る機能のうちのいずれかの機能を有している、請求項１〜６のいずれか一項に記載の多機能構造体。
【発明の詳細な説明】
【技術分野】
【０００１】
本発明は、路上等に設置される多機能構造体に関する。
【背景技術】
【０００２】
近年、路上に設置される電柱を撤廃し、地中に電線等を埋設する無電柱化が進められている（例えば、非特許文献１参照）。無電柱化は、電柱が風景を台無しにすること、電柱による災害時の救援活動の妨げ、及び、電柱による通行の妨げ等を解消することを目的としている。
【先行技術文献】
【非特許文献】
【０００３】
【非特許文献１】国土交通省、”無電柱化の推進”［online］、［平成２８年９月８日検索］、インターネット<http://www.mlit.go.jp/road/road/traffic/chicyuka/>
【発明の概要】
【発明が解決しようとする課題】
【０００４】
従来、電柱には、電灯、携帯電話機のアンテナ等が設置されている。無電柱化が進められ、路上から電柱が無くなると、電灯等を設置する場所が減少する。電灯等のインフラ設備に関しては、防犯等の観点から、設置しなければならない。そのため、インフラ設備を設置するためのポール等の構造体の整備が必要となる。ここで、インフラ設備は、設置される環境によって、求められる機能が異なる。例えば、電灯が必要な環境があれば、電灯及び防災スピーカーが必要な環境もある。このように、環境に応じたインフラ設備を備えた構造体を整備する必要があるが、機能毎に構造体を準備して設置することは手間とコストがかかるため容易ではない。
【０００５】
本発明の一側面は、設置される環境に応じた様々な機能を提供できる多機能構造体を提供することを目的とする。
【課題を解決するための手段】
【０００６】
本発明の一側面に係る多機能構造体は、少なくとも一部が地上に配置される基部と、基部に支持される複数の機能部と、を備え、複数の機能部のそれぞれは、所定の機能を提供可能なモジュールであり、高さ方向に並んで配置されると共に、組み合わせ自在に設けられている。
【０００７】
本発明の一側面に係る多機能構造体では、複数の機能部のそれぞれは、所定の機能を提供可能なモジュールであり、高さ方向に並んで配置されると共に、組み合わせ自在に設けられている。この構成により、多機能構造体では、例えば、電灯及び防災スピーカーが必要な環境の場合には、電灯として機能する機能部と防災スピーカーとして機能する他の機能部を組み合わせることで、環境に適した機能を提供できる。このように、多機能構造体では、設置される環境に応じた様々な機能を提供できる。その結果、環境毎に構造体を製造する必要がないため、手間とコストの削減を図ることが可能となる。
【０００８】
一実施形態においては、基部は、高さ方向に沿って延在する支柱であり、複数の機能部のそれぞれは、基部に固定されて支持されていてもよい。この構成では、基部の長さを環境に合わせて設定し、基部に機能部を固定することで機能部を設置できるため、簡易な構成とすることができる。
【０００９】
一実施形態においては、複数の機能部のそれぞれは、基部の上端部に連結可能であると共に、他の機能部と連結可能であってもよい。この構成では、基部上に機能部を積み重ねることにより、機能部を任意に組み合わせることができる。また、基部の高さが固定されないため、機能部の増設等を自由に行うことができる。
【００１０】
一実施形態においては、複数の機能部のそれぞれの外形が同じであってもよい。この構成では、機能部の外形が同一であるため、機能部の組み合わせに制限がなく、機能部の変更・設計を容易に行うことができる。
【００１１】
一実施形態においては、基部は、中空の構造を有していてもよい。この構成では、基部の内部にケーブル等を配線することができる。したがって、ケーブル等が外部に露出しないため、意匠性を確保できると共に、安全性を確保できる。
【００１２】
一実施形態においては、基部は、地中に埋設される部分を有し、埋設される部分には、外部と連通する開口部が設けられていてもよい。この構成では、地中に埋設されている電源共同溝等から電力ケーブル、通信ケーブル等を地中において基部に引き込むことができる。これにより、各ケーブルが外に露出しないため、意匠性を確保できると共に、安全性を確保できる。
【００１３】
一実施形態においては、複数の機能部のそれぞれは、複数の通信会社に対応可能な無線基地局に係る機能、高度道路交通システムに係る機能、防災情報システムに係る機能、災害情報共有システムに係る機能、防災スピーカーに係る機能、電灯に係る機能、ＩｏＴ（Internet of Thing）に係る機能、デジタルサイネージに係る機能、Ｗｉ−Ｆｉに係る機能、気象センサーに係る機能、国土交通省・警察庁等のテレメータに係る機能、監視カメラに係る機能、Ｇ空間情報の送受信装置及びアンテナに係る機能、電力を供給するコンセントに係る機能、及び、パーソナルコンピューターに係る機能のうちのいずれかの機能を有していてもよい。多機能構造体では、これら機能部を組み合わせることにより、設置される環境に応じた様々な機能を提供できる。
【発明の効果】
【００１４】
本発明の一側面によれば、設置される環境に合わせて様々な機能を提供できる。
【図面の簡単な説明】
【００１５】
【図１】図１（ａ）及び図１（ｂ）は、一実施形態に係るインテリジェントポールを模式的に示す図である。
【図２】図２（ａ）及び図２（ｂ）は、インテリジェントポールの第１形態の構造を示す図である。
【図３】図３（ａ）及び図３（ｂ）は、インテリジェントポールの第２形態の構造を示す図である。
【図４】図４は、機能部の内部の一例の示す図である。
【図５】図５（ａ）及び宇５（ｂ）は、インテリジェントポールの第３形態の構造を示す図である。
【図６】図６（ａ）及び図６（ｂ）は、インテリジェントポールの第４形態の構造を示す図である。
【図７】図７（ａ）及び図７（ｂ）は、インテリジェントポールの第５形態の構造を示す図である。
【発明を実施するための形態】
【００１６】
以下、添付図面を参照して、本発明の好適な実施形態について詳細に説明する。なお、図面の説明において同一又は相当要素には同一符号を付し、重複する説明は省略する。
【００１７】
図１（ａ）及び図１（ｂ）に示されるように、一実施形態に係るインテリジェントポール（多機能構造体）１は、基部３と、複数の機能部５と、を備えている。インテリジェントポール１は、例えば、路上に設置される。インテリジェントポール１は、設置される環境において必要な機能を提供する。
【００１８】
基部３は、路面等に設置される。基部３は、機能部５を支持する支持体である。基部３は、例えば、金属等の剛性を有する材料で形成される。基部３は、中空の構造を有している。基部３は、第１部分４Ａと、第２部分４Ｂと、を有する。第１部分４Ａと第２部分４Ｂとは、一体に形成されており、内部が互いに連通している。
【００１９】
第１部分４Ａは、基部３が設置されたときに地上に位置する部分である。第１部分４Ａは、外部に連通する第１開口部（図示省略）を有する。第１開口部は、例えば、第１部分４Ａの上端部に設けられている。第１開口部は、後述する第２部分４Ｂにおいて内部に引き込んだケーブル等を機能部５側に配線するためのものである。第１部分４Ａの内部には、例えば、バッテリー、無線機、メーター等の機器が収容可能である。インテリジェントポール１では、基部３にバッテリーを搭載することにより、停電時においてもインテリジェントポール１を動作させることが可能となる。
【００２０】
第２部分４Ｂは、基部３が設置されたときに地中に位置する（埋設される）部分である。第２部分４Ｂは、外部に連通する第２開口部４Ｂａを有する。第２開口部４Ｂａは、地中に埋設されている電線共同溝等から電力ケーブル及び通信ケーブル等のケーブル類を基部３の内部に引き込むためのものである。第２開口部４Ｂａには、第２部分４Ｂ内に水等が浸入することを抑制するためのブッシュ、ケーブルを保護するためのグロメット等が設けられていてもよい。第２部分４Ｂの内部には、第１部分４Ａと同様に、例えば、バッテリー、無線機、メーター等の機器が収容可能である。第２部分４Ｂの内部に、バッテリー等の比較的重量の大きい機器を配置することにより、基部３の安定性を確保できる。
【００２１】
基部３には、塗装が施されていてもよい。塗装に用いられる材料は、インテリジェントポール１が設置される環境に応じて適宜選択される。塗装により形成される皮膜は、例えば、耐熱性、抗菌性等を有していてもよい。また、塗装される色についても、インテリジェントポール１が設置される環境に応じて適宜選択される。基部３において、地中に埋設される部分には、防錆性を有する材料により塗装が施されることが好ましい。環境に適した塗装を基部３に施すことにより、基部３の損傷等を抑制することができ、基部３を長時間使用することが可能となる。
【００２２】
機能部５は、所定の機能を提供可能なモジュール（ユニット）である。機能部５は、個々に提供する機能が異なる。機能部５は、一又は複数の組み合わせにより、所定の機能を提供する。機能部５が提供する機能の一例としては、複数の通信会社に対応可能な無線基地局に係る機能、高度道路交通システムに係る機能、防災情報システムに係る機能、災害情報共有システムに係る機能、防災スピーカーに係る機能、電灯に係る機能、ＩｏＴ（Internet of Thing）に係る機能、デジタルサイネージに係る機能、Ｗｉ−Ｆｉに係る機能、気象センサーに係る機能、国土交通省・警察庁等のテレメータに係る機能、監視カメラに係る機能、Ｇ空間情報の送受信装置及びアンテナに係る機能、電力を供給するコンセントに係る機能、及び、パーソナルコンピューターに係る機能等が挙げられる。各機能部５には、上記機能を提供するために必要な機器が搭載されている。
【００２３】
図１に示されるように、機能部５は、基部３に複数（ここでは３個）支持されている。複数の機能部５のそれぞれは、例えば、外形が同一形状を呈している。機能部５では、筐体６内に各種機器等が設けられている。筐体６は、樹脂、金属等の材料により形成される。筐体６の材料は、筐体６内に収容される機器の種類によって適宜選択される。筐体６は、金網、スリット板等により形成されていてもよい。例えば、筐体６を金網で形成することにより、機能部５において放熱性を確保できる。
【００２４】
機能部５は、基部３に支持されており、任意に組み合わせが可能である。機能部５は、高さ方向に並んで配置される。機能部５は、高さ方向において積み重ねるように設置することにより、設計を自由に変更できる。機能部５は、基部３、又は、他の機能部５に固定されている。各機能部５には、基部３から配線される電力ケーブルにより電力が供給される。なお、機能部５の筐体６には、基部３と同様に、塗装が施されていてもよい。
【００２５】
続いて、インテリジェントポール１の具体的な構造について説明する。最初に、インテリジェントポール１の第１形態について、図２（ａ）及び図２（ｂ）を参照して説明する。図２（ａ）及び図２（ｂ）に示されるように、第１形態のインテリジェントポール１Ａは、基部３Ａと、機能部５Ａと、を備える。
【００２６】
図２（ａ）に示されるように、第１形態に係るインテリジェントポール１Ａの基部３Ａは、高さ方向に延在する支柱（ポール）である。図２に示す例では、基部３Ａは、角柱状を呈している。基部３Ａには、開口部ＨＡが設けられている。開口部ＨＡは、基部３Ａの内部と外部とを連通する貫通孔である。基部３Ａの内部に配線されたケーブル等は、開口部ＨＡを介して機能部５Ａに引き込まれる。開口部ＨＡは、機能部５Ａの設置数に応じて設けられている。図２（ａ）に示す例では、開口部ＨＡは、基部３Ａに３個設けられている。基部３Ａの高さは、例えば、５ｍ、１０ｍ、１５ｍ等のように、設計に応じて適宜設定する。基部３Ａの太さについても、設計に応じて適宜設定されればよい。なお、図２（ａ）には示していないが、基部３Ａは地中に埋設される第２部分を有している。後述する基部３Ｂ，３Ｃ，３Ｄ，３Ｅについても同様である。
【００２７】
機能部５Ａは、直方体形状を呈している。図２（ａ）に示す例では、機能部５Ａは、３個設けられている。機能部５Ａは、基部３Ａに着脱可能に設けられている。機能部５Ａは、基部３Ａを筐体６Ａの内側に位置させて、基部３Ａに固定される。図２（ｂ）に示されるように、基部３Ａは、機能部５Ａの筐体６Ａ内において、例えば、一側面の中央部に位置し、一側面に当接している。機能部５Ａは、例えば、ボルトによる締結、係合等により基部３Ａに固定される。
【００２８】
機能部５Ａの筐体６Ａは、一部が開閉可能とされている。例えば、図２（ｂ）に示されるように、筐体６Ａの一側部が図示しないヒンジにより開閉可能とされている。この構成では、筐体６Ａの一側部を開くことにより、機能部５Ａを水平方向に移動させて、機能部５Ａを基部３Ａに対して着脱できる。これにより、例えば、交換したい機能部５Ａの上方に更に機能部５Ａが設置されている場合であっても、その上方に設置された機能部５Ａを取り外すことなく、機能部５Ａを交換することができる。
【００２９】
機能部５Ａの上部及び下部の少なくとも一方には、機能部５Ａ内に水等の液体が浸入することを抑制する部材が設けられている。一例としては、機能部５Ａ（筐体６Ａ）の上部及び下部の少なくとも一方に、シール部材が設けられている。この構成により、機能部５Ａと機能部５Ａとが高さ方向に並んで配置されたときに、機能部５Ａと機能部５Ａとの隙間がシール部材により塞がれる。これにより、機能部５Ａ内に水等が浸入することを抑制できる。
【００３０】
続いて、インテリジェントポール１の第２形態について、図３を参照して説明する。図３（ａ）及び図３（ｂ）に示されるように、第２形態のインテリジェントポール１Ｂは、基部３Ｂと、機能部５Ｂと、を備える。
【００３１】
図３（ａ）に示されるように、第２形態に係るインテリジェントポール１Ｂの基部３Ｂは、高さ方向に延在する支柱である。図３に示す例では、基部３Ｂは、円柱状を呈している。基部３Ｂには、開口部ＨＢが設けられている。基部３Ｂの高さ及び太さは、設計に応じて適宜設定されればよい。
【００３２】
機能部５Ｂは、円柱形状を呈している。図３（ａ）に示す例では、機能部５Ｂは、３個設けられている。機能部５Ｂは、基部３Ｂに着脱可能に設けられている。機能部５Ｂは、基部３Ｂを筐体６Ｂの内側に位置させて、基部３Ｂに固定される。図３（ｂ）に示されるように、基部３Ｂは、機能部５Ｂの筐体６Ｂ内において、例えば、中央部に位置するように設けられる。機能部５Ｂは、連結部材７Ｂにより、基部３Ｂに固定されている。図３（ｂ）に示す例では、連結部材７Ｂは、３個設けられている。連結部材７Ｂは、例えば、一端が機能部５Ｂの筐体６Ｂの内側面に接続されると共に、他端が基部３Ｂの外周面に接続される。
【００３３】
機能部５Ｂの筐体６Ｂは、一部が開閉可能とされている。また、機能部５Ｂの上部及び下部の少なくとも一方には、シール部材が設けられている。
【００３４】
機能部５Ｂの一例として、機能部５Ｂが無線基地局として機能する場合について説明する。図４に示されるように、無線基地局として機能する機能部５Ｂには、例えば、無線基地局のアンテナＡを取り付けための取付孔Ｈが設けられている。取付孔Ｈは、筐体６Ｂの側壁に設けられている。取付孔Ｈは、当該取付孔ＨにアンテナＡを取り付けたときに、アンテナＡの電波の指向方向が一義的に設定されるように設けられている。これにより、アンテナＡの取り付けを容易に行うことができる。
【００３５】
続いて、インテリジェントポール１の第３形態について、図５を参照して説明する。図５（ａ）及び図５（ｂ）に示されるように、第３形態のインテリジェントポール１Ｃは、基部３Ｃと、機能部５Ｃと、を備える。
【００３６】
図５（ａ）に示されるように、第３形態に係るインテリジェントポール１Ｃの基部３Ｃは、高さ方向に延在する支柱である。図５（ａ）に示す例では、基部３Ｃは、円柱状を呈している。基部３Ｃには、開口部ＨＣが設けられている。基部３Ｃの高さ及び太さは、設計に応じて適宜設定されればよい。
【００３７】
機能部５Ｃは、三角柱状を呈している。図５（ａ）に示す例では、機能部５Ｃは、３個設けられている。機能部５Ｃは、基部３Ｃに着脱可能に設けられている。機能部５Ｃは、基部３Ｃを筐体６Ｃの内側に位置させて、基部３Ｃに固定されている。図５（ｂ）に示されるように、基部３Ｃは、機能部５Ｃ内において、例えば、中央部に位置するように設けられる。機能部５Ｃは、連結部材７Ｃにより、基部３Ｃに固定されている。図５（ｂ）に示す例では、連結部材７Ｃは、３個設けられている。連結部材７Ｃは、例えば、一端が機能部５Ｃの筐体６Ｃの内側面に接続されると共に、他端が基部３Ｃの外周面に接続される。
【００３８】
機能部５Ｃの筐体６Ｃは、一部が開閉可能とされている。また、機能部５Ｃの上部及び下部の少なくとも一方には、シール部材が設けられている。
【００３９】
続いて、インテリジェントポール１の第４形態について説明する。図６（ａ）及び図６（ｂ）に示されるように、第４形態のインテリジェントポール１Ｄは、基部３Ｄと、機能部５Ｄと、を備える。
【００４０】
図６（ａ）に示されるように、第４形態に係るインテリジェントポール１Ｄの基部３Ｄは、複数（ここでは３本）設けられている。各基部３Ｄは、高さ方向に延在する支柱である。図６（ａ）に示す例では、各基部３Ｄは、円柱状を呈している。各基部３Ｄには、開口部ＨＤが設けられている。基部３Ｄの高さ及び太さは、設計に応じて適宜設定されればよい。図６（ａ）及び図６（ｂ）に示す例では、１本の基部３Ｄの直径が他の２本の基部３Ｄの直径よりも大きい。例えば、直径が大きい基部３Ｄの内部には、同軸ケーブル等が配線され、他の基部３Ｄのそれぞれには、電力ケーブル、通信ケーブルがそれぞれ配線される。基部３Ｄの直径を大きくすることにより、同軸ケーブルのように、先端にコネクタが設けられたケーブルを容易に配線することができる。
【００４１】
機能部５Ｄは、円柱形状を呈している。図６（ａ）に示す例では、機能部５Ｄは、３個設けられている。機能部５Ｄは、各基部３Ｄに着脱可能に設けられている。機能部５Ｄは、基部３Ｄを筐体６Ｄの内側に位置させて、基部３Ｄに固定される。図６（ｂ）に示されるように、各基部３Ｄは、機能部５Ｄ内において、例えば、筐体６Ｃの内側面に当接している。
【００４２】
機能部５Ｄの筐体６Ｄは、一部が開閉可能とされている。機能部５Ｄの上部及び下部の少なくとも一方には、シール部材が設けられている。
【００４３】
インテリジェントポール１Ｄでは、基部３Ｄが複数設けられているため、基部３Ｄ毎に異なるケーブルを配線することができる。また、インテリジェントポール１Ｄでは、基部３Ｄが複数設けられているため、機能部５Ｄを安定して支持することができる。したがって、インテリジェントポール１Ｄでは、安全性をより一層確保することができる。
【００４４】
続いて、インテリジェントポール１の第５形態について説明する。図７（ａ）及び図７（ｂ）に示されるように、第５形態のインテリジェントポール１Ｅは、基部３Ｅと、機能部５Ｅと、を備える。
【００４５】
図７（ａ）及び図７（ｂ）に示されるように、第５実施形態に係る機能部５Ｅは、支持体５Ｅａと、筐体５Ｅｂと、を備えている。支持体５Ｅａは、例えば、角柱状を呈している。支持体５Ｅａは、中空の構造を有している。支持体５Ｅａの内部には、ケーブル等が配線可能である。支持体５Ｅａには、開口部ＨＥが設けられている。支持体５Ｅａは、筐体５Ｅｂ内において、高さ方向に沿って延在している。支持体５Ｅａは、筐体５Ｅｂの内側面に固定されている。機能部５Ｅの上部及び下部の少なくとも一方には、シール部材が設けられている。
【００４６】
インテリジェントポール１Ｅを組み立てる場合には、最初に、基部３Ｅを設置する。次に、基部３Ｅに機能部５Ｅを取り付ける。基部３Ｅと機能部５Ｅとの接続は、例えば、接続部材Ｃを用いる。接続部材Ｃは、例えば、プレート状の連結部材と、ボルトと、から構成されている。基部３Ｅと機能部５Ｅとを固定すると、次に、図７（ｂ）に示されるように、一の機能部５Ｅ上に他の機能部５Ｅを取り付ける。一の機能部５Ｅと他の機能部５との接続は、上記接続部材Ｃを用いる。なお、基部３Ｅと機能部５Ｅ、及び、機能部５Ｅ同士の接続方法は、接続部材Ｃに限定されず、様々な形態を採用することができる。
【００４７】
上述のインテリジェントポール１Ａ〜１Ｅの基部３Ａ〜３Ｅ及び機能部５Ａ〜５Ｅの形状は、インテリジェントポール１が設置される環境に応じて適宜選択することができる。例えば、機能部５の形状は、機能部５に搭載される機能が無線基地局である場合、アンテナの指向性に応じて選択される。また、基部３及び機能部５の形状は、インテリジェントポール１が設置される空間に応じて適宜選択される。例えば、建物の隅部に設置される場合には、機能部５Ａ又は機能部５Ｃの形状が選択され得る。
【００４８】
以上説明したように、本実施形態に係るインテリジェントポール１では、複数の機能部５のそれぞれは、所定の機能を提供可能なモジュールであり、高さ方向に並んで配置されると共に、組み合わせ自在に設けられている。この構成により、例えば、電灯及び防災スピーカーが必要な環境の場合には、電灯として機能する機能部と防災スピーカーとして機能する他の機能部を組み合わせることで、環境に適した機能を提供できる。このように、インテリジェントポール１では、設置される環境に応じて様々な機能を提供できる。
【００４９】
本実施形態に係るインテリジェントポール１（１Ａ，１Ｂ，１Ｃ，１Ｄ）では、基部３（３Ａ，３Ｂ，３Ｃ，３Ｄ）は、高さ方向に沿って延在する支柱であってもよい。複数の機能部５（５Ａ，５Ｂ，５Ｃ，５Ｄ）のそれぞれは、基部３（３Ａ，３Ｂ，３Ｃ，３Ｄ）に固定されて支持されていてもよい。この構成では、基部３（３Ａ，３Ｂ，３Ｃ，３Ｄ）の長さを環境に合わせて設定し、基部３（３Ａ，３Ｂ，３Ｃ，３Ｄ）に機能部５（５Ａ，５Ｂ，５Ｃ，５Ｄ）を固定することで機能部５（５Ａ，５Ｂ，５Ｃ，５Ｄ）を設置できるため、簡易な構成とすることができる。
【００５０】
本実施形態に係るインテリジェントポール１（１Ｅ）では、複数の機能部５（５Ｅ）のそれぞれは、基部３Ｅの上端部に連結可能であると共に、他の機能部５（５Ｅ）と連結可能であってもよい。この構成では、基部３（３Ｅ）上に機能部５（５Ｅ）を積み重ねることにより、機能部５（５Ｅ）を任意に組み合わせることができる。また、基部３（３Ｅ）の高さが固定されないため、機能部５（５Ｅ）の増設等を自由に行うことができる。
【００５１】
本実施形態に係るインテリジェントポール１（１Ａ，１Ｂ，１Ｃ，１Ｄ，１Ｅ）では、複数の機能部５（５Ａ，５Ｂ，５Ｃ，５Ｄ，５Ｅ）のそれぞれの外形が同じである。この構成では、機能部５（５Ａ，５Ｂ，５Ｃ，５Ｄ，５Ｅ）の外形が同一であるため、機能部の５（５Ａ，５Ｂ，５Ｃ，５Ｄ，５Ｅ）組み合わせに制限がなく、機能部５（５Ａ，５Ｂ，５Ｃ，５Ｄ，５Ｅ）の変更・設計を容易に行うことができる。
【００５２】
本実施形態に係るインテリジェントポール１（１Ａ，１Ｂ，１Ｃ，１Ｄ，１Ｅ）では、基部３（３Ａ，３Ｂ，３Ｃ，３Ｄ，３Ｅ）は、中空の構造を有している。この構成では、基部３（３Ａ，３Ｂ，３Ｃ，３Ｄ，３Ｅ）の内部にケーブル等を配線することができる。したがって、ケーブル等が外部に露出しないため、意匠性を確保できると共に、安全性を確保できる。
【００５３】
本実施形態に係るインテリジェントポール１（１Ａ，１Ｂ，１Ｃ，１Ｄ，１Ｅ）では、基部３（３Ａ，３Ｂ，３Ｃ，３Ｄ，３Ｅ）は、地中に埋設される第２部分４Ｂを有し、第２部分４Ｂには、外部と連通する第２開口部４Ｂａが設けられている。この構成では、地中に埋設されている電源共同溝等から電力ケーブル、通信ケーブル等を地中において基部３（３Ａ，３Ｂ，３Ｃ，３Ｄ，３Ｅ）に引き込むことができる。これにより、各ケーブルが外に露出しないため、意匠性を確保できると共に、安全性を確保できる。
【００５４】
以上、本発明の実施形態について説明してきたが、本発明は必ずしも上述した実施形態に限定されるものではなく、その要旨を逸脱しない範囲で様々な変更が可能である。
【００５５】
上記実施形態では、図１〜図７に示されるように、基部及び機能部の形態の一例について説明したが、本発明の多機能構造体は、その他様々が形態を採用することが可能である。基部及び機能部の形状は、設計に応じて適宜選択されればよい。
【００５６】
上記実施形態では、基部３が柱状である形態を一例に説明したが、基部は、箱状であってもよい。この構成では、基部に、デジタルサイネージ、パーソナルコンピューター等を設置してもよい。
【００５７】
上記実施形態では、機能部５Ａ〜５Ｅ内に水等の液体が浸入することを抑制する部材として、シール部材を用いる形態を一例に説明した。しかし、防水対策としては、その他様々が形態を採用することができる。
【符号の説明】
【００５８】
１，１Ａ〜１Ｅ…インテリジェントポール（多機能構造体）、３，３Ａ〜３Ｅ…基部、５，５Ａ〜５Ｅ…機能部。
【図１】
2018048461.tif 000003
【図２】
2018048461.tif 000004
【図３】
2018048461.tif 000005
【図４】
2018048461.tif 000006
【図５】
2018048461.tif 000007
【図６】
2018048461.tif 000008
【図７】
2018048461.tif 000009